(57)【要約】【課題】  回転機構にて開閉するドアを用いて、簡単な部品で構成することで製作費用を低減させることができるとともに維持保守作業が容易なホームドア装置を提供する。【解決手段】  プラットホーム上の乗客の乗降口部分の両側に固定設置された一対の戸袋１の一方の側の戸袋１ａの線路側の側面に嵌入して固着した軸受け２と戸袋１内の底板１ｂに設置した架台３に固定設置した軸受け４との間に嵌入して固着した回転軸５を有する回転ドア６を配し、また回転軸５に直結したモータ７を架台３に固定設置することによってホームドアを構成することで、モータ７の駆動力が回転軸５を介して回転ドア６に伝達されることにより回転ドア６が回転軸５を中心に１８０°回転移動することで乗客の乗降、転落よび車輌接触防止のための乗降口部の開閉操作を行う。【選択図】図３
2018158702.tif 000002
【特許請求の範囲】
【請求項１】
プラットホーム上の乗客の乗降口部分に位置する両側に設置された一対の戸袋の一方の側の戸袋の線路側の側面に嵌入して固着した軸受けと戸袋内の底板に設置した架台に固定した軸受けとの間に嵌入して固着した回転軸を有する回転ドアを配し、また回転軸に直結したモータを架台に固定設置することによってホームドアを構成することで、モータの駆動力が回転軸を介して回転ドアに伝達されることにより回転ドアが回転軸を中心に１８０°回転移動して乗客の乗降および転落や車輌との接触防止のための乗降口部の開閉操作を行えることを特徴とするホームドア装置。
【請求項２】
回転ドアを閉鎖する方向にモータを駆動して回転ドアを移動させて停止することで、乗客の線路上への転落および入線してきた電車の車輌との接触を防ぐ一方、乗客の乗降時には回転ドアを開放する方向にモータを駆動して回転ドアを移動させて停止することで、乗降のための開口を形成することができる回転による移動機構を有することを特徴とする請求項１記載のホームドア装置。
【請求項３】
回転ドアを移動させるための駆動機構は、戸袋に嵌入固着した軸受け、戸袋内底板に設置した架台に固定した軸受け、回転ドアに固着した回転軸およびモータであり、少ない主要部品によって構成されることを特徴とする請求項１および請求項２に記載のホームドア装置。
【請求項４】
回転ドアを移動させるための駆動機構を構成する軸受けは、その高さ位置を戸袋の中央あるいは下端に配することが可能なことを特徴とする請求項１および請求項３に記載のホームドア装置。
【請求項５】
請求項１のホームドア装置の移動・駆動機構を両戸袋に設置することで、回転ドアの長さを半分程度に縮小できることを特徴とする請求項１、請求項２、請求項３および請求項４に記載のホームドア装置。
【発明の詳細な説明】
【技術分野】
【０００１】  本発明は、例えば駅のプラットホームに設置される乗客の線路上への転落や乗客と車輌の接触を防止するホームドア装置に関する。
【背景技術】
【０００２】  近年、電車のプラットホームにおいて乗客が線路に転落することや駅に入線してきた電車の車輌と乗客が接触することを防止するための安全装置を設置する事例が増加している。安全装置の一例として、スライドドア式ホームドア装置がある。このスライドドア式ホームドア装置は、自在に左右に移動するスライドドアを固定設置された戸袋より送り出すことでプラットホームと線路を遮断して乗客の線路上への転落・車輌との接触を防止し、またスライドドアを戸袋に収納することで乗客の乗降を可能とするホームドア装置である。【０００３】  スライドドア式ホームドア装置の例は、特許文献１に開示される。このスライドドア式ホームドア装置はプラットホーム上の固定フェンスに固着設置された一対の戸袋と自在にスライドする一対のスライドドアと、両戸袋内にスライドドアを支持しながら左右に駆動するためのスライド移動機構およびスライドドアの駆動のための駆動手段とを具備したホームドア装置である。このスライドドアと戸袋がホームと線路を仕切るプラットホーム縁部に配され、通常は乗客が線路へ転落することや車輌と接触することを防止するために閉鎖され、電車の入線・停止後にスライドドアが戸袋に収納されることで乗客の乗降を可能とする。この装置のプラットホーム上に設置されるそれぞれの戸袋内部にはスライドドアの収納空間が確保されるとともに、レールと保持ローラおよびスライダーで構成される直動式と称されるスライドドアのスライド移動機構と原動機、ベルトおよびプーリーで構成されるスライドドアの駆動手段が組み込まれている。また、各戸袋は固定フェンスに蝶番によって固着連結されている。
【先行技術文献】
【特許文献】
【０００４】
【特許文献１】特開２０００−０１６２８０号
【発明の概要】
【発明が解決しようとする課題】
【０００５】  特許文献１に開示のスライドドア式ホームドア装置では、直動式のスライド移動機構を採用しているが保持ローラはその取り付ける箇所に高い製作精度を要求されるため戸袋の製作費が高価になるとともに、それを構成する部品点数が多いことで維持保守作業が容易ではない上に製作精度を十分に確保できない場合はスライドドアの開閉に支障を来すため頻繁な維持保守が必要となり、ひいては維持保守費用を高騰させることが問題となる。【０００６】  本発明は、以上のような従来装置の問題点を解決するためになされたもので、ホームドア装置の移動機構に回転機構を具備してその構造を簡素化することで製作費用の低減が可能となるホームドア装置を提供することを第一の目的とする。また、移動機構と駆動手段に簡単で部品数の少ない機構を用いることで戸袋内の部品構成を簡素化することにより維持保守が容易になり、維持保守費用も低減できるホームドア装置を提供することを第二の目的とする。
【課題を解決するための手段】
【０００７】  本課題を解決する請求項１の発明は、プラットホーム上の乗客の乗降口部分に位置する両側に設置された一対の戸袋の一方の側の戸袋の線路側の側面に嵌入して固着した軸受けと戸袋内の底板に設置した架台に固定した軸受けとの間に嵌入して固着した回転軸を有する回転ドアを配し、また回転軸に直結したモータを架台に固定設置することによってホームドアを構成することで、モータの駆動力が回転軸を介して回転ドアに伝達されることにより回転ドアが回転軸を中心に１８０°回転移動して乗降口部の開閉操作を行い、閉鎖時には乗客の線路上への転落・車輌との接触を防止する安全ドアの役目を果たし、開放時には乗客の乗降を可能とするホームドア装置である。【０００８】  この回転ドア式のホームドア装置では、安全ドアの開閉移動を制御する回転機構は軸受けと回転ドアに固着した回転軸および架台に設置した回転駆動用のモータであって、少ない部品で形成されることにより戸袋内の構造の簡素化とそれに伴う装置の軽量化が可能である。【０００９】  さらに、この回転ドア式のホームドア装置は駆動機構が単純構造であるため回転ドアは高い製作精度を必要とせずそのため余計な補強が不要であり、小駆動力で回転できるように軽量化が可能である。
【発明の効果】
【００１０】  本発明は、電車のプラットホーム上の縁部に線路とプラットホームを遮断するように設置されるホームドア装置で、乗客の線路上への転落および電車入線時の車輌と乗客の接触を防止する効果がある。【００１１】  本発明は、乗客の安全を確保するために通常は線路側とホームを遮断するように設置される回転ドアは、乗客の乗降時には回転機構を駆動することにより回転ドアを１８０°回転させることで乗降を可能とする開口を形成するが、その回転機構は少ない部品で構成した簡単な構造ゆえに、製作費用の低減および維持保守が容易にできるという効果がある。【００１２】  本発明の戸袋は二枚の側面板と底板にてコの字型を形成して戸袋の強度を維持しながら回転移動機構を固定する役割を担うが、線路側の側面板は線路側とホーム側の遮断の役割を担うホーム側の側面板に比べて小寸法に製作することによって、維持保守作業員が線路側空間から回転移動機構に接近することができて維持保守作業がたやすくなるという効果がある。【００１３】  本発明のホームドア装置として回転機構で駆動する回転ドアを採用した一つの副次効果として、回転機構の取り付け位置を変更し、開口状態を保持するためのクランプ機構を加えるだけで回転ドアは９０°の回転となるために、モータの駆動力を小さくできる。また、二つ目の副次効果として両方の戸袋内に同一の回転機構を設けることで、回転ドアを概ね半分の大きさにできるため、小駆動力で回転ドアの回転が可能である。
【図面の簡単な説明】
【００１４】
【図１】  本発明の実施形態１のホームドア装置のドア閉鎖状態を示す正面図である。
【図２】  本発明の実施形態１のホームドア装置のドア開放状態を示す正面図である。
【図３】  図１のＡ−Ａで切断した断面図である。
【図４】  実施形態２のホームドア装置のドア閉鎖状態を示す正面図である。
【図５】  実施形態２のホームドア装置のドア開放状態を示す正面図である。
【図６】  図５のＢ−Ｂで切断したホームドアの開放時の断面図である。
【図７】  実施形態３のホームドア装置のドア閉鎖状態を示す正面図である。
【図８】  実施形態３のホームドア装置のドア開放状態を示す正面図である。
【発明を実施するための形態】
【００１５】  以下、本発明の実施形態について、図１〜図８を参照しながら説明する。なお、図面の説明に際して同一の要素には同一の符号を付し重複する説明を省略するとともに、同一要素であってもさらなる詳細説明が必要と考えた部品については、英小文字の添え番号を付す。
【００１６】実施形態１．
図１は、本発明の実施形態１に係わるホームドア装置の全体構成のドア閉鎖状態を示す概略の正面図である。図２は、図１のホームドア装置のドア開放状態を示す正面図である。また、図３は図１の回転軸５の中心位置であるＡ−Ａにて切り出した断面図である。
【００１７】  これらの図において、戸袋１が線路側の側面板１ａと底板１ｂおよびホーム側の側面板１ｃの３つの部分にてコの字型に形成されて線路側とホーム側を遮断するための固定の安全柵の一部として乗降口部分の両側に一対で設置され、戸袋１の線路側の側面板１ａには嵌入して固着した軸受け２と戸袋の底板１ｂに設置した架台３に固定した軸受け４との間に嵌入して固着した回転軸５を有する回転ドア６を配し、回転軸５に直結したモータ７を架台３に固定設置することによってホームドアを構成する。
【００１８】  この構成による回転ドア６の移動は、回転軸５を中心にした回転によって行われる。すなわち、モータ７の駆動力が回転軸５を介して回転ドア６に伝達されることにより回転ドア６が回転軸５を中心に１８０°回転移動して乗降口部の開閉操作が行われるが、図１のごとくに閉鎖時には乗客の線路上への転落・車輌との接触を防止する安全ドアの役目を果たし、回転ドア６が回転移動して戸袋１内に収納された開放時には図２のように乗客の車輌への乗降を可能とする開口をプラットホーム上に確保するための回転移動機構が具備される。
【００１９】  この構成における戸袋１は戸袋１ａ、１ｂおよび１ｃの３つの部分で戸袋１の強度を維持するようにコの字型に形成されるが、そのうち戸袋１ｃは乗客が線路上へ転落することや車輌と接触することを防止するとともに、ホームドア装置の可動部分に乗客が接触することを防止する固定の安全柵の役目を果たす。また、戸袋１ａは戸袋１の強度維持と回転移動機構を固定する役目を有するが、戸袋１の強度を確保しつつ軽量化を行い、かつ維持保守作業員が線路側空間から回転移動機構にたやすく接近できて維持保守作業が容易に行えるように、戸袋１ａは戸袋１ｃに対して三分の一程度の長さになるように製作する。
【００２０】実施形態２．
図４は、実施形態２のホームドア装置の全体構成のドア閉鎖状態を示す正面図である。図５は、実施形態２のホームドア装置のドア開放状態を示す正面図である。図６は、図５のクランプ８の中心であるＢ−Ｂにて切り出したホームドアの開放時の断面図である。
【００２１】  これらの図において、軸受け２の戸袋１ａへの嵌入の高さおよび軸受け４の架台３への固定高さを実施形態１に対して下方側に移して、また回転移動後の回転ドア６を把持するためのクランプ８を追設することで、モータ７の駆動力が回転軸５を介して回転ドア６に伝達されることにより回転ドア６が回転軸５を中心に９０°回転移動するだけで乗降口部の開閉操作が行われるため、実施形態１に比べてモータ７の駆動力は小さくできる。なお、回転ドア６の移動手段は、実施形態１と同じ回転機構で良い。
【００２２】  さらに、クランプ８はモータ７の駆動時と連動して開閉する機構であって、モータ７が駆動している時にはクランプ８は開状態にあるが、モータ７が動作を停止した時にはクランプ８は閉状態となり回転ドア６が回転移動して乗降口部が開放になった時にその開放状態を把持する役目を果たす。
【００２３】実施形態３．
図７は、実施形態３のホームドア装置のドア閉鎖状態を示す正面図である。図８は、実施形態３のホームドア装置のドア開放状態を示す正面図である。
【００２４】  これらの図において、実施形態２では一対の戸袋１のうちの片側にのみ配したホームドア装置を、実施形態３では両方の戸袋１に具備させることで、実施形態２における回転ドア６の長さを半分程度に縮小することができるため、実施形態３におけるモータ７は実施形態２に対して小駆動力で良い。
【００２５】  また、図７に示すごとく一方の回転ドア（右）６ａおよびその移動・駆動機構を線路側すなわち図６の戸袋１ａの側に配し、他方の回転ドア（左）６ｂおよび移動・駆動機構をホーム側すなわち図６の戸袋１ｃの側に配すことで、両回転ドア６ａおよび６ｂの先端を重ねて設置することができるため、左右のドア間における隙間がなくなり遮断効果を確保できる。回転ドア６ａおよび回転ドア６ｂは長さが実施形態１に比べて半分程度に短くできるため、回転移動後のドアを保持するためのクランプは不要にもできる。
【符号の説明】
【００２６】    １  戸袋
１ａ  戸袋の線路側の側面板
１ｂ  戸袋の底板
１ｃ  戸袋のホーム側の側面板
２  軸受け
３  架台
４  軸受け
５  回転軸
６  回転ドア
６ａ  回転ドア（右）
６ｂ  回転ドア（左）
７  モータ
８  クランプ
【図１】
2018158702.tif 000003
【図２】
2018158702.tif 000004
【図３】
2018158702.tif 000005
【図４】
2018158702.tif 000006
【図５】
2018158702.tif 000007
【図６】
2018158702.tif 000008
【図７】
2018158702.tif 000009
【図８】
2018158702.tif 000010